【手続補正書】
【提出日】平成18年5月10日(2006.5.10)
【手続補正１】
【補正対象書類名】明細書
【補正対象項目名】発明の名称
【補正方法】変更
【補正の内容】
【発明の名称】音響システム及び音響再生方法
【手続補正２】
【補正対象書類名】明細書
【補正対象項目名】特許請求の範囲
【補正方法】変更
【補正の内容】
【特許請求の範囲】
【請求項１】  少なくとも３つの音響信号のそれぞれが異なる位置で再生される音響システムにおいて、
各再生位置から遠い再生位置で再生される少なくとも１つの音響信号を分岐して取り出し、各再生位置間の距離に応じてこの信号を遅延させると共に、その信号レベルを減衰させて処理音信号を作る処理音信号作成手段と、
この処理音信号を前記分岐した音響信号以外の音響信号に加算する信号加算手段とを備えることを特徴とする音響システム。
【請求項２】  少なくとも３つの音響信号のそれぞれが異なる位置で再生される音響システムにおいて、
各再生位置から遠い再生位置で再生される少なくとも１つの音響信号を分岐して取り出して加算する信号加算手段と、
加算された信号を各再生位置間の距離に応じて遅延させると共に、その信号レベルを減衰させて処理音信号を作る処理音信号作成手段と、
この処理音信号を少なくとも１つの再生位置に振り分ける信号振り分け手段と、
振り分けられた各信号を前記分岐した音響信号以外の音響信号にそれぞれ加算する信号加算手段とを備えることを特徴とする音響システム。
【請求項３】  前記処理音信号作成手段が、更に、前記処理音信号の周波数特性を補正することを特徴とする請求項１または２に記載の音響システム。
【請求項４】  前記音響信号が、前方中央で再生されるセンタ用音響信号、前方左側で再生される左フロント用音響信号、前方右側で再生される右フロント用音響信号、後方左側で再生される左リヤ用音響信号、後方右側で再生される右リヤ用音響信号、及び低音専用音響信号の６つであることを特徴とする請求項１から３の何れか１項に記載の音響システム。
【請求項５】  前記６つの音響信号を送出する装置が、マルチチャネル記録方式で記録された記録媒体を再生するマルチチャネル再生装置であることを特徴とする請求項４に記載の音響システム。
【請求項６】  前記マルチチャネル再生装置で再生される前記記録媒体に６チャネルのソースが記録されている場合に、前記センタ用音響信号と前記左フロント用音響信号と前記右フロント用音響信号がそれぞれ前記左リヤ用音響信号と前記右リヤ用音響信号に加算され、前記左リヤ用音響信号と前記右リヤ用音響信号が前記左フロント用音響信号、前記右フロント用音響信号及び前記センタ用音響信号にそれぞれ加算されて出力されることを特徴とする請求項５に記載の音響システム。
【請求項７】  前記マルチチャネル再生装置で再生される前記記録媒体に６チャネルのソースが記録されている場合に、前記センタ用音響信号と前記左フロント用音響信号と前記右フロント用音響信号がそれぞれ左リヤ用音響信号と前記右リヤ用音響信号に加算され、前記左リヤ用音響信号と前記右リヤ用音響信号が前記左フロント用音響信号と前記右フロント用音響信号にそれぞれ加算されて出力されることを特徴とする請求項５に記載の音響システム。
【請求項８】  前記再生位置のうち、どの再生位置を優先するかの優先モード設定スイッチが設けられており、この設定スイッチの位置に応じて、前記センタ用音響信号、前記左フロント用音響信号、前記右フロント用音響信号、前記左リヤ用音響信号、及び右リヤ用音響信号の音圧が変更されるようになっていることを特徴とする請求項１から７の何れか１項に記載の音響システム。
【請求項９】  少なくとも３つ以上の音響信号のそれぞれが異なる位置で再生される音響再生方法において、
各再生位置から遠い再生位置で再生される少なくとも１つの音響信号を分岐して取り出し、各再生位置間の距離に応じてこの信号を遅延させると共に、その信号レベルを減衰させて処理音信号を生成し、
この処理音信号を前記分岐した音響信号以外の音響信号に加算することを特徴とする音響再生方法。
【請求項１０】  少なくとも３つの音響信号のそれぞれが異なる位置で再生される音響再生方法において、
各再生位置から遠い再生位置で再生される少なくとも１つの音響信号を分岐して取り出して加算し、
加算された信号を各再生位置間の距離に応じて遅延させると共に、その信号レベルを減衰させて処理音信号を生成し、
この処理音信号を少なくとも１つの再生位置に振り分ける信号振り分け、
振り分けられた各信号を前記分岐した音響信号以外の音響信号にそれぞれ加算することを特徴とする音響再生方法。
【請求項１１】  前記処理音信号の作成に合わせて、更に、前記処理音信号の周波数特性を補正することを特徴とする請求項９または１０に記載の音響再生方法。
【請求項１２】  前記音響信号が、前方中央で再生されるセンタ用音響信号、前方左側で再生される左フロント用音響信号、前方右側で再生される右フロント用音響信号、後方左側で再生される左リヤ用音響信号、後方右側で再生される右リヤ用音響信号、及び低音専用音響信号の６つであることを特徴とする請求項９から１１の何れか１項に記載の音響再生方法。
【請求項１３】  前記６つの音響信号が、マルチチャネル記録方式で記録された記録媒体から送出されることを特徴とする請求項１２に記載の音響再生方法。
【請求項１４】  前記記録媒体に６チャネルのソースが記録されている場合に、前記センタ用音響信号と前記左フロント用音響信号と前記右フロント用音響信号がそれぞれ前記左リヤ用音響信号と前記右リヤ用音響信号に加算され、前記左リヤ用音響信号と前記右リヤ用音響信号が前記左フロント用音響信号、前記右フロント用音響信号及び前記センタ用音響信号にそれぞれ加算されて出力されることを特徴とする請求項１３に記載の音響再生方法。
【請求項１５】  前記記録媒体に６チャネルのソースが記録されている場合に、前記センタ用音響信号と前記左フロント用音響信号と前記右フロント用音響信号がそれぞれ左リヤ用音響信号と前記右リヤ用音響信号に加算され、前記左リヤ用音響信号と前記右リヤ用音響信号が前記左フロント用音響信号と前記右フロント用音響信号にそれぞれ加算されて出力されることを特徴とする請求項１３に記載の音響再生方法。
【請求項１６】  前記再生位置のうち、どの再生位置を優先するかが設定可能であり、この設定状態に応じて、前記センタ用音響信号、前記左フロント用音響信号、前記右フロント用音響信号、前記左リヤ用音響信号、及び右リヤ用音響信号の音圧が変更されるようになっていることを特徴とする請求項９から１５の何れか１項に記載の音響再生方法。
【手続補正３】
【補正対象書類名】明細書
【補正対象項目名】０００１
【補正方法】変更
【補正の内容】
【０００１】
【発明の属する技術分野】
本発明は音響システム及び音響再生方法に関し、特に、ＤＶＤ（ディジタル多目的ディスク）プレーヤのようなマルチチャネル記録方式の音楽ソースを再生可能なマルチチャネル再生プレーヤから、車室内等に設置された複数のスピーカに対してそれぞれ独立した音響信号を送出するような音響システム、及び音響再生方法における音響効果の改善に関する。
【手続補正４】
【補正対象書類名】明細書
【補正対象項目名】０００５
【補正方法】変更
【補正の内容】
【０００５】
ＤＶＤのディジタルサラウンド方式では、音楽ソースが室内に配置した６個のスピーカから再生されるようになっており、音楽ソースが６個のスピーカ用にそれぞれ独立したマルチチャネル記録方式でディスクに記録されている。ＤＶＤにおける６個のスピーカは、それぞれ、センタスピーカ、左フロントスピーカ、右フロントスピーカ、左リヤスピーカ、右リヤスピーカ、及び、低音専用スピーカ（ウーファ）である。このうち、ウーファから再生される音は例えば、１２０Ｈｚ以下の低音であり、２０ｋＨｚまで再生する他のチャネルの情報量に比べて情報量が少ないことから、このようなＤＶＤにおける６チャネルは５．１チャネルと呼ばれている。
【手続補正５】
【補正対象書類名】明細書
【補正対象項目名】０００６
【補正方法】変更
【補正の内容】
【０００６】
ところで、前述の６個のスピーカが自動車に搭載された場合、従来の２チャネルのステレオでは、例えば、リヤの右座席に乗員（聴取者）が座った場合、右フロントスピーカと右リヤスピーカから再生される音は基本的に同じである。従って、右フロントスピーカと右リヤスピーカから同じ音が再生された場合は、リヤの右座席に座った聴取者に聞こえる音は右リヤスピーカが支配していた。
【手続補正６】
【補正対象書類名】明細書
【補正対象項目名】０００８
【補正方法】変更
【補正の内容】
【０００８】
【発明が解決しようとする課題】
しかしながら、前述のような聴取者の回りを音が回るような音楽ソースを再生する場合を考えると、リヤの右座席に座った聴取者に対して左フロントスピーカから来る音は、聴取者とスピーカとの距離が遠いだけに音圧が低く、高音が減衰した音となってしまい、逆に、右リヤスピーカから来る音は音圧が大きくて帯域も広い音となってしまうために、同じ音が異なった音として聞こえてしまうという問題点があった。
【手続補正７】
【補正対象書類名】明細書
【補正対象項目名】００１０
【補正方法】変更
【補正の内容】
【００１０】
そこで、本発明は、多チャネルのソースが録音された媒体を、チャネル数と同数の箇所に設置されたスピーカから再生する場合において、各スピーカから再生される音を聴取する聴取者の聴取位置に応じて、媒体の再生装置から再生された信号を各スピーカの前段に配置されたアンプユニット側で加工することにより、媒体に録音された原音に近い音を聴取者の位置で再生することができる音響システム及び音響再生方法を提供することを目的としている。
【手続補正８】
【補正対象書類名】明細書
【補正対象項目名】００１１
【補正方法】変更
【補正の内容】
【００１１】
【課題を解決するための手段】
前記目的を達成する本発明の音響システムの第１の形態は、少なくとも３つの音響信号のそれぞれが異なる位置で再生される音響システムにおいて、各再生位置から遠い再生位置で再生される少なくとも１つの音響信号を分岐して取り出し、各再生位置間の距離に応じてこの信号を遅延させると共に、その信号レベルを減衰させて処理音信号を作る処理音信号作成手段と、この処理音信号を分岐した音響信号以外の音響信号に加算する信号加算手段とを備えることを特徴とする音響システムである。
【手続補正９】
【補正対象書類名】明細書
【補正対象項目名】００１２
【補正方法】変更
【補正の内容】
【００１２】
前記目的を達成する本発明の音響システムの第２の形態は、少なくとも３つの音響信号のそれぞれが異なる位置で再生される音響システムにおいて、各再生位置から遠い再生位置で再生される少なくとも１つの音響信号を分岐して取り出して加算する信号加算手段と、加算された信号を各再生位置間の距離に応じて遅延させると共に、その信号レベルを減衰させて処理音信号を作る処理音信号作成手段と、この処理音信号を少なくとも１つの再生位置に振り分ける信号振り分け手段と、振り分けられた各信号を分岐した音響信号以外の音響信号にそれぞれ加算する信号加算手段とを備えることを特徴とする音響システムである。
【手続補正１０】
【補正対象書類名】明細書
【補正対象項目名】００１３
【補正方法】変更
【補正の内容】
【００１３】
また、前記目的を達成する本発明の音響再生方法の第１の形態は、少なくとも３つ以上の音響信号のそれぞれが異なる位置で再生される音響再生方法において、各再生位置から遠い再生位置で再生される少なくとも１つの音響信号を分岐して取り出し、各再生位置間の距離に応じてこの信号を遅延させると共に、その信号レベルを減衰させて処理音信号を生成し、この処理音信号を前記分岐した音響信号以外の音響信号に加算することを特徴とする音響再生方法である。
【手続補正１１】
【補正対象書類名】明細書
【補正対象項目名】００１４
【補正方法】変更
【補正の内容】
【００１４】
更に、前記目的を達成する本発明の音響再生方法の第２の形態は、少なくとも３つの音響信号のそれぞれが異なる位置で再生される音響再生方法において、各再生位置から遠い再生位置で再生される少なくとも１つの音響信号を分岐して取り出して加算し、加算された信号を各再生位置間の距離に応じて遅延させると共に、その信号レベルを減衰させて処理音信号を生成し、この処理音信号を少なくとも１つの再生位置に振り分ける信号振り分け、振り分けられた各信号を前記分岐した音響信号以外の音響信号にそれぞれ加算することを特徴とする音響再生方法である。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本発明によれば、多チャネルのソースが録音された媒体を、チャネル数と同数の箇所に設置されたスピーカから再生する場合において、各スピーカから再生される音を聴取する聴取者の聴取位置に応じて、媒体の再生装置から再生された音響信号を、各スピーカの前段に配置されたアンプユニット側で加工することにより、媒体に録音された原音に近い音を聴取者の位置で聴取することができる。
【手続補正１５】
【補正対象書類名】明細書
【補正対象項目名】００２０
【補正方法】変更
【補正の内容】
【００２０】
アンプユニット２には受信回路（ＤＩＲ：Digital Interface Receiver) ３と、ＤＳＰ(Digital Signal Processor)４、及び、各スピーカを駆動するためのアンプ１１〜１６がある。また、ＤＳＰ４にはデコーダ５、マトリクス遅延加算処理回路６、及びイコライザ７が設けられている。このイコライザ７はグラフィッククイコライザやパラメトリックイコライザ等の汎用のイコライザである。ＤＶＤプレーヤ１からアンプユニット２に入力されたストリーム信号はＤＩＲ３で受信された後に、デコーダ５に入力される。デコーダ５ではストリーム信号をデコードしてセンタスピーカ用の信号ＳＣＥ、左右のフロントスピーカ用の信号ＳＦＬ，ＳＦＲ、左右のリヤスピーカ用の信号ＳＲＬ，ＳＲＲ、及びウーファ用の信号ＳＷＦに変換する。
【手続補正１６】
【補正対象書類名】明細書
【補正対象項目名】００２７
【補正方法】変更
【補正の内容】
【００２７】
なお、センタスピーカＣＥが車両の中心線上にある時には、ｄ１＝ｄ２，ｄ３＝ｄ４、およびｄ５＝ｄ６とすることができる。
このように、第１の実施例では、センタスピーカＣＥから出力される音が周波数特性を調整された後に遅延、減衰されて左右のリヤスピーカＲＬ，ＲＲから出力される音に加えられ、左右のフロントスピーカＦＬ，ＦＲから出力される音が周波数特性を調整された後に遅延、減衰されて左右のリヤスピーカＲＬ，ＲＲから出力される音に加えられると共に、左右のリヤスピーカＲＬ，ＲＲから出力される音が周波数特性を調整された後に遅延、減衰されて左右のフロントスピーカＦＬ，ＦＲ及びセンタスピーカＣＥにそれぞれ加えられて出力される。ウーファＷＦへの信号ＳＷＦについては、何も処理されずに出力される。これは、ウーファから出る音はかなり低い周波数であるので、車室内のどこの席で聞いても同じような音に聞こえるからである。また、ウーファの音の帯域を他のスピーカでは再生するのが困難であるからである。
【手続補正１７】
【補正対象書類名】明細書
【補正対象項目名】００４１
【補正方法】変更
【補正の内容】
【００４１】
図１１は本発明を３列シート車に適用した場合の座席優先モードと各スピーカのゲインの関係を示すものである。自動車の車室内に３列に渡ってシートが配置されている場合に、この実施例ではどの列のシートに座った聴取者への音を優先させるかを切り替えられるようになっている。１列目の座席を優先させる場合には、モードを１列目座席優先モードに切り替えることにより、左右のリヤスピーカＲＬ，ＲＲの音圧が高くなる。このとき、左右のフロントスピーカＦＬ，ＦＲとセンタスピーカＣＥの音圧は中程度に保たれる。また、２列目の座席を優先させる場合には、モードを２列目座席優先モードに切り替えることにより、左右のリヤスピーカＲＬ，ＲＲの音圧と左右のフロントスピーカＦＬ，ＦＲの音圧、及び、センタスピーカＣＥの音圧は全て同じ中程度に保たれる。更に、３列目の座席を優先させる場合には、モードを３列目座席優先モードに切り替えることにより、左右のリヤスピーカＲＬ，ＲＲの音圧が中程度となり、左右のフロントスピーカＦＬ，ＦＲとセンタスピーカＣＥの音圧が大きくなる。
【手続補正１８】
【補正対象書類名】明細書
【補正対象項目名】００４３
【補正方法】変更
【補正の内容】
【００４３】
また、以上説明した実施例では、車室内の音響システム及び音響再生方法について説明を行ったが、マルチチャネル再生プレーヤで再生された音響信号を通常の室内で再生する場合についても本発明を有効に適用することができる。
【手続補正１９】
【補正対象書類名】明細書
【補正対象項目名】００４４
【補正方法】変更
【補正の内容】
【００４４】
【発明の効果】
以上説明したように、本発明の音響システム及び音響再生方法によれば、多チャネルのソースが録音された媒体を、チャネル数と同数の箇所に設置されたスピーカから再生する場合において、各スピーカから再生される音を聴取する聴取者の聴取位置に応じて、媒体の再生装置から再生された音響信号を、各スピーカの前段に配置されたアンプユニット側で加工することにより、媒体に録音された原音に近い音を聴取者の位置で聴取することができるという効果がある。